(57)【特許請求の範囲】
【請求項１】
物体側より順に、正の屈折力を有する第１レンズ群、負の屈折力を有する第２レンズ群、絞りおよび正の屈折力を有する第３レンズ群を配列してなり、
前記第１レンズ群は、物体側から順に２枚の正レンズと２枚の負レンズを配列してなり、前記第２レンズ群および前記第３レンズ群は、各々正負各１枚づつのレンズを少なくとも有してなり、
前記第２レンズ群を光軸上で移動させてフォーカシングを行い、次の条件式（１）〜（３）を満足するように構成されてなることを特徴とするインナーフォーカス式レンズ。
０．６＜ｆ１／ｆ＜０．７      ……  （１）
−１．０＜ｆ２／ｆ＜−０．５  ……  （２）
０．７＜ｆ３／ｆ＜１．６      ……  （３）
ここで、
ｆ      ……  無限遠物体にフォーカスしたときのレンズ全系の焦点距離
ｆ１    ……  第１レンズ群の焦点距離
ｆ２    ……  第２レンズ群の焦点距離
ｆ３    ……  第３レンズ群の焦点距離
【請求項２】
前記第２レンズ群は正レンズと負レンズの接合レンズからなることを特徴とする請求項１記載のインナーフォーカス式レンズ。
【請求項３】
前記第１レンズ群は、物体側より順に、物体側に強い曲率の面を向けた両凸レンズと、物体側に凸面を向けた正レンズと、像側に凹面を向けた負レンズと、物体側に凸面を向けた負のメニスカスレンズを配列してなることを特徴とする請求項１または２記載のインナーフォーカス式レンズ。
【請求項４】
前記第３レンズ群は、物体側より順に、物体側に凹面を向けた負のメニスカスレンズと、全体として正の屈折力を有する、物体側に凸面を向けた負のメニスカスレンズと両凸レンズの接合レンズを配列してなることを特徴とする請求項１から３のうちいずれか１項記載のインナーフォーカス式レンズ。
【請求項５】
前記第３レンズ群は、物体側より順に、独立した両凹レンズと両凸レンズを配列してなることを特徴とする請求項１から３のうちいずれか１項記載のインナーフォーカス式レンズ。
【請求項６】
前記第３レンズ群は、物体側より順に、全体として負の屈折力を有する、両凹レンズと両凸レンズの接合レンズと、全体として正の屈折力を有する、物体側に凸面を向けた負のメニスカスレンズと両凸レンズの接合レンズを配列してなることを特徴とする請求項１から３のうちいずれか１項記載のインナーフォーカス式レンズ。
【発明の詳細な説明】
【０００１】
【発明の属する技術分野】
本発明は写真用カメラ等に好適なインナーフォーカス式レンズに関し、特にフォーカスの際の収差変動を良好に補正した６×８判フィルム（中判フィルム）の撮影用に好適であり、この６×８判フィルムに換算して焦点距離３００ｍｍ、Ｆナンバー４．０程度の良好なる光学性能を有したインナーフォーカス式レンズに関するものである。
【０００２】
【従来の技術および発明が解決しようとする課題】
一般に撮影レンズにおけるフォーカシングは撮影レンズ全体を移動させるか撮影レンズの一部を移動させることにより行なわれる。撮影レンズは、フィルムサイズが大きなものになると、それに応じて大型かつ大重量となるため、撮影レンズ全体を敏速に移動させてフォーカシングを行うのが機構的に困難である。
【０００３】
特に、６×８判フィルム（中判フィルム）用等における撮影レンズにおいては、撮影レンズ全体としては大型かつ大重量となり過ぎるため、フォーカシングは一部のレンズを移動させて行うインナーフォーカス式であることが望ましい。さらに、移動させるレンズ群についても、その移動距離はできるだけ小さいことが望まれる。
【０００４】
そこで、中判フィルム用の撮影レンズについてもインナーフォーカス式のフォーカシング形式のものも種々開発されている（特開昭61-051117号公報、特開平10-206729号公報）が、どうしてもフォーカス群や絞りが大径となりがちで鏡胴も大径かつ大重量なものとなり、フォーカシングの応答速度をより速いものにしたいという要求があった。
【０００５】
本発明は上記事情に鑑みなされたものであり、中判フィルム用のインナーフォーカス式の撮影レンズにおいても、フォーカシングの応答速度をより速いものとし得る、高性能なインナーフォーカス式レンズを提供することを目的とするものである。
【０００６】
【課題を解決するための手段】
本発明のインナーフォーカス式レンズは、物体側より順に、正の屈折力を有する第１レンズ群、負の屈折力を有する第２レンズ群、絞りおよび正の屈折力を有する第３レンズ群を配列してなり、
前記第１レンズ群は、物体側から順に２枚の正レンズと２枚の負レンズを配列してなり、前記第２レンズ群および前記第３レンズ群は、各々正負各１枚づつのレンズを少なくとも有してなり、
前記第２レンズ群を光軸上で移動させてフォーカシングを行い、次の条件式（１）〜（３）を満足するように構成されてなることを特徴とするものである。
【０００７】
０．６＜ｆ１／ｆ＜０．７      ……  （１）
−１．０＜ｆ２／ｆ＜−０．５  ……  （２）
０．７＜ｆ３／ｆ＜１．６      ……  （３）
ここで、
ｆ      ……  無限遠物体にフォーカスしたときのレンズ全系の焦点距離
ｆ１    ……  第１レンズ群の焦点距離
ｆ２    ……  第２レンズ群の焦点距離
ｆ３    ……  第３レンズ群の焦点距離
【０００８】
また、前記第２レンズ群は正レンズと負レンズの接合レンズからなることが好ましい。
【０００９】
また、前記第１レンズ群は、物体側より順に、物体側に強い曲率の面を向けた両凸レンズと、物体側に凸面を向けた正レンズと、像側に凹面を向けた負レンズと、物体側に凸面を向けた負のメニスカスレンズを配列してなることが好ましい。
【００１０】
また、前記第３レンズ群は、物体側より順に、物体側に凹面を向けた負のメニスカスレンズと、全体として正の屈折力を有する、物体側に凸面を向けた負のメニスカスレンズと両凸レンズの接合レンズを配列してなるように構成することが可能である。
【００１１】
また、前記第３レンズ群は、物体側より順に、独立した両凹レンズと両凸レンズを配列してなるように構成することが可能である。
【００１２】
また、前記第３レンズ群は、物体側より順に、全体として負の屈折力を有する、両凹レンズと両凸レンズの接合レンズと、全体として正の屈折力を有する、物体側に凸面を向けた負のメニスカスレンズと両凸レンズの接合レンズを配列してなるように構成することが可能である。
【００１３】
【発明の実施の形態】
以下、本発明の実施形態を図面を用いて説明する。
図１は、本発明の実施形態を代表するものとして実施例１に係るインナフォーカス式レンズの構成を示す図である。
【００１４】
図１に示すとおり、本発明の実施形態に係るインナフォーカス式レンズは、主に中判用の一眼レフ撮影に用いられるもので、物体側から順に、正の屈折力を有する第１レンズ群と、負の屈折力を有する第２レンズ群と、絞り１と、正の屈折力を有する第３レンズ群を配設してなり、第２レンズ群を光軸に沿って∞（実線で表される）から至近（点線で表される）まで移動させることによりフォーカシングを行うようになっている。また、第３レンズ群は物体側より１枚の負レンズと全体として正の屈折力を有する接合レンズが配されてなり、レンズ系全体として絞り１を中心として、正負のレンズ配置が対称形となるように構成されている。  また、以下の条件式（１）〜（３）を満足するように構成されてなることを特徴とするものである。
【００１５】
０．６＜ｆ１／ｆ＜０．７      ……  （１）
−１．０＜ｆ２／ｆ＜−０．５  ……  （２）
０．７＜ｆ３／ｆ＜１．６      ……  （３）
ここで、
ｆ      ……  無限遠物体にフォーカスしたときのレンズ全系の焦点距離
ｆ１    ……  第１レンズ群の焦点距離
ｆ２    ……  第２レンズ群の焦点距離
ｆ３    ……  第３レンズ群の焦点距離
【００１６】
詳述すれば、前記第１レンズ群は、物体側より順に、物体側に強い曲率の面を向けた両凸レンズＬ１と、物体側に凸面を向けた正レンズＬ２と、像側に凹面を向けた負レンズ（両凹レンズ）Ｌ３と、物体側に凸面を向けた負のメニスカスレンズＬ４を配列してなる。
【００１７】
また、前記第２レンズ群は正レンズＬ５と負レンズＬ６の接合レンズからなる。
さらに、前記第３レンズ群は、物体側より順に、物体側に凹面を向けた負のメニスカスレンズＬ７と、全体として正の屈折力を有する、物体側に凸面を向けた負のメニスカスレンズＬ８と両凸レンズＬ９の接合レンズを配列してなる。
なお、このインナフォーカス式レンズから射出された光束は結像面２上に結像される。なお、図１および後述する図２、３中でＸは光軸を示す。
【００１８】
このように、第１レンズ群においては、入射光束の収斂を、物体側の２枚の正の第１レンズＬ１と第２レンズＬ２に分担させることにより、高次収差の発生を抑え、さらに、メニスカス状の負の第４レンズＬ４の像面側の凹面で球面収差を補正するようにしている。
【００１９】
また、第２レンズ群を正レンズＬ５と負レンズＬ６の接合レンズにより構成することで、フォーカシングによる色収差の変動および短波長側の軸上色収差を抑えるようにしている。
【００２０】
さらに、第３レンズ群を、物体側から負のブロックと正のブロックを順に配列するように構成することで、レンズ系全体のパワー配分が絞りを中心に対称となるようなレンズ構成とし、高次の球面収差の変動およびコマ収差を良好に補正するようにしている。
【００２１】
また、上記のような構成をとることで、フォーカス群や絞り径を小さくしつつ収差が良好に補正された写真用レンズが得られる。フォーカス群や絞り径を小さくすることで、それにより空いたスペースにフォーカス群、シャッタおよび絞りを駆動する機構を納めることができ鏡胴も小型化することが可能となる。
【００２２】
ここで、上記条件式（１）〜（３）についての技術的意義を詳述する。
条件式（１）は、第１レンズ群の屈折力の割合を規定するものである。条件式（１）の下限を超えると、撮影距離を変えたときの球面収差、コマ収差、像面湾曲の変動が大きくなり、とくに近距離撮影での収差補正が困難となり、一方、その上限を超えると第２レンズ群の移動量が大きくなり、レンズ系の全長および第２レンズ群の径が増大する。
【００２３】
また、条件式（２）は、第２レンズ群の屈折力の割合を規定するものである。
条件式（２）の下限を超えると、第２レンズ群の移動量が大きくなりすぎてレンズ系全体が大型化してしまい、一方、その上限を超えると、第２レンズ群の移動量は小さくなるが、フォーカス群の移動に伴うコマ収差、軸上・倍率色収差の変動が大きくなり、近距離撮影での性能が劣化する。
【００２４】
また、条件式（３）は、第３レンズ群の屈折力の割合を規定するものである。
条件式（３）の下限を超えるとバックフォーカスの確保が困難になり、一方、その上限を超えるとレンズ系の全長が長くなるとともに第１、第２レンズ群の径が大きくなる。
【００２５】
【実施例】
本発明の実施形態について具体的な実施例を記述する。
＜実施例１＞
実施例１に係るインナフォーカス式レンズの構成は、上述したように図１に示されている。
【００２６】
表１に、実施例１の各レンズ面の曲率半径Ｒ（ｍｍ）、各レンズの軸上面間隔（各レンズの中心厚および各レンズ間の空気間隔）Ｄ（ｍｍ）、各レンズのｄ線における屈折率Ｎｄおよびアッベ数νｄを示す。また、表１の上段には全系のＦ値（FNO）、焦点距離ｆ´、半画角（ω）を示す。さらに、表１の下段には条件式（１）〜（３）に対応する値および絞り径を示す。なお、表１および以下の他の表において、各記号に対応させた数字は物体側から順次増加するようになっている。
【００２７】
【表１】
0004624581.tif 000002
【００２８】
表１に示すように、実施例１は条件式（１）〜（３）を全て満足しており、フォーカシングの移動距離を小さくできるとともに良好な光学性能を有する撮影レンズとされている。
【００２９】
＜実施例２＞
実施例２に係るインナフォーカス式レンズの構成を図２に示す。その構成は実施例１と略同様の構成となっているが、第２レンズＬ２と第３レンズＬ３が接合レンズとされており、また、第３レンズ群が、物体側より順に配列された、独立した両凹レンズＬ７と両凸レンズＬ８から構成されている点において異なっている。
【００３０】
表２に、実施例２の各レンズ面の曲率半径Ｒ（ｍｍ）、各レンズの軸上面間隔Ｄ（ｍｍ）、各レンズのｄ線における屈折率Ｎｄおよびアッベ数νｄを示す。また、表２の上段には全系のＦ値（FNO）、焦点距離ｆ´、半画角（ω）を示す。さらに、表２の下段には条件式（１）〜（３）に対応する値および絞り径を示す。
【００３１】
【表２】
0004624581.tif 000003
【００３２】
表２に示すように、実施例２は条件式（１）〜（３）を全て満足しており、フォーカシングの移動距離を小さくできるとともに良好な光学性能を有する撮影レンズとされている。
【００３３】
＜実施例３＞
実施例３に係るインナフォーカス式レンズの構成を図３に示す。その構成は実施例２と略同様の構成となっているが、第３レンズ群が、物体側より順に配列された、全体として負の屈折力を有する、両凹レンズＬ７と両凸レンズＬ８の接合レンズと、全体として正の屈折力を有する、物体側に凸面を向けた負のメニスカスレンズＬ９と両凸レンズＬ１０の接合レンズよりなる点において異なっている。
【００３４】
表３に、実施例３の各レンズ面の曲率半径Ｒ（ｍｍ）、各レンズの軸上面間隔Ｄ（ｍｍ）、各レンズのｄ線における屈折率Ｎｄおよびアッベ数νｄを示す。また、表３の上段には全系のＦ値（FNO）、焦点距離ｆ´、半画角（ω）を示す。さらに、表３の下段には条件式（１）〜（３）に対応する値および絞り径を示す。
【００３５】
【表３】
0004624581.tif 000004
【００３６】
表３に示すように、実施例３は条件式（１）〜（４）を全て満足しており、フォーカシングの移動距離を小さくできるとともに良好な光学性能を有する撮影レンズとされている。
【００３７】
なお、上記実施例１、３に示すように、下記条件式（４）〜（６）を満足するような屈折力配分に構成すれば、非点収差およびディストーションがより良化するので好ましい。
【００３８】
０．６＜ｆ１／ｆ＜０．６５    ……  （４）
−０．６＜ｆ２／ｆ＜−０．５  ……  （５）
０．７＜ｆ３／ｆ＜０．９      ……  （６）
ここで、
ｆ      ……  無限遠物体にフォーカスしたときのレンズ全系の焦点距離
ｆ１    ……  第１レンズ群の焦点距離
ｆ２    ……  第２レンズ群の焦点距離
ｆ３    ……  第３レンズ群の焦点距離
【００３９】
次に、図４〜６は、上述した実施例１〜３に係るインナフォーカス式レンズの無限遠（INF）および至近（撮影距離８．５）における諸収差（球面収差、非点収差、ディストーションおよび倍率色収差）を示す収差図である。なお、これらの収差図においてωは半画角を示す。図４〜６に示すように、実施例１〜３に係るインナフォーカス式レンズは、無限遠および至近のいずれにおいても良好な光学性能を有することが明らかである。
【００４０】
【発明の効果】
以上説明したように、本発明に係るインナフォーカス式レンズによれば、各レンズ群の屈折力配分を所定の範囲の値とすることで、光学性能を良好に維持しつつ絞り径を小さくして鏡胴をよりコンパクトなものとすることができるので、中判フィルム用のインナーフォーカス式の撮影レンズにおいても、フォーカシングの応答速度が速い高性能なものとすることができる。
【図面の簡単な説明】
【図１】実施例１に係るインナーフォーカス式レンズの構成を示す図
【図２】実施例２に係るインナーフォーカス式レンズの構成を示す図
【図３】実施例３に係るインナーフォーカス式レンズの構成を示す図
【図４】実施例１に係るインナーフォーカス式レンズの諸収差図
【図５】実施例２に係るインナーフォーカス式レンズの諸収差図
【図６】実施例３に係るインナーフォーカス式レンズの諸収差図
【符号の説明】
Ｌ１〜Ｌ１０    レンズ
Ｒ１〜Ｒ１７    曲率半径
Ｄ１〜Ｄ１７    軸上面間隔
Ｘ         光軸
１         絞り
２         結像面
【図１】
0004624581.tif 000005
【図２】
0004624581.tif 000006
【図３】
0004624581.tif 000007
【図４】
0004624581.tif 000008
【図５】
0004624581.tif 000009
【図６】
0004624581.tif 000010